(57)【要約】【課題】  症状に基づいて最適な専門獣医師を容易に選択できるようにする。【解決手段】  通信回線網３に接続される連携サーバ装置４によって、利用者に適した獣医師情報を提供する獣医師連携システム１００であって、動物カテゴリや症状が蓄積される動物症状データベース部、症状と関係性を有する臓器・部位が蓄積された症状臓器データベース部、獣医師毎に専門とする前記臓器・部位が特定された専門獣医師データベース部を用意し、症状絞込み部によって、動物症状データベース部に含まれる複数の動物カテゴリ及び症状を利用者に配信して利用者に選択を促し、利用者によって選択された症状等に基づいて症状臓器データベース部を参照し、症状と臓器・部位の関連度合いによって臓器・部位の優先順位を決定し、絞り込まれた臓器・部位に基づいて専門獣医師データベース部を参照してその臓器・部位を得意分野とする専門獣医師を抽出するようにした。【選択図】図１
2006215967.tif 000002
【特許請求の範囲】
【請求項１】
通信回線網に接続される連携サーバ装置によって、利用者に適した獣医師情報を提供する獣医師連携システムであって、
動物カテゴリ及び該動物カテゴリに属する複数の症状が蓄積される動物症状データベース部と、
前記動物カテゴリの前記症状毎に、該症状と関係性を有する臓器・部位が蓄積されている症状臓器データベース部と、
獣医師毎に、専門とする前記臓器・部位が特定されている専門獣医師データベース部と、
該動物症状データベース部に含まれる複数の前記動物カテゴリ及び前記症状を前記利用者に配信して、該利用者に選択を促す症状絞込み部と、
利用者によって選択された前記動物カテゴリ及び前記症状に基づいて前記症状臓器データベース部を参照し、前記症状と前記臓器・部位の関連度合いによって臓器・部位の優先順位を決定する臓器絞込み部と、
前記臓器絞込み部によって絞り込まれた前記臓器・部位に基づいて前記専門獣医師データベース部を参照し、該臓器・部位を得意分野とする専門獣医師を抽出する獣医師絞込み部と、
を備えることを特徴とする獣医師連携システム。
【請求項２】
前記動物カテゴリには、動物種類を選択する大カテゴリと、該大カテゴリに属する動物品種を選択する小カテゴリを含むことを特徴とする請求項１記載の獣医師連携システム。
【請求項３】
前記症状臓器データベース部は、
一方の配列が複数の前記症状であって他方の配列が複数の前記臓器・部位となる症状−臓器・部位マトリックスを備えており、
前記症状と前記臓器・部位の関係度合いに基づいて、前記症状−臓器・部位マトリックスの対応枠に予めフラグが設定されており、
前記利用者が選択した複数の前記症状に基づいてヒットした前記フラグの合計によって、前記臓器・部位の優先順位を設定するようにした
ことを特徴とする請求項１又は２に記載の獣医師連携システム。
【請求項４】
前記臓器絞込み部が、優先順位が設定された複数の前記臓器・部位を該優先順位が識別可能な状態で前記利用者に配信して選択を促し、
該利用者によって選択された前記臓器・部位に基づいて、前記獣医師絞込み部が前記専門獣医師を抽出するようにした
ことを特徴とする請求項１、２又は３に記載の獣医師連携システム。
【請求項５】
前記臓器絞込み部が、
前記動物カテゴリに属する動物画像、及び該動物画像上に適切配置された前記臓器・部位の選択ボタンを含む臓器・部位選択画面を前記利用者に配信して、該臓器・部位の選択を促すようにした
ことを特徴とする請求項１乃至４のいずれかに記載の獣医師連携システム。
【請求項６】
前記臓器・部位選択画面は、前記臓器・部位の選択ボタンの色調の違いによって、前記優先順位を識別可能となっていることを特徴とする請求項５に記載の獣医師連携システム。
【請求項７】
前記獣医師絞込み部が、
抽出された前記専門獣医師に対して問い合せ可能な相談画面を前記利用者に配信するようにし、
該相談画面には、利用者が保有する静止画又は動画を添付可能にしたことを特徴とする請求項１乃至６のいずれかに記載の獣医師連携システム。
【請求項８】
前記相談画面が、更に、動物の名称、動物の年齢、動物の性別、相談内容が入力可能な入力欄を備えていることを特徴とする請求項７に記載の獣医師連携システム。
【請求項９】
前記専門獣医師データベースには、動物種類及び品種、専門臓器、専門獣医師名が含まれていることを特徴とする請求項１乃至８のいずれかに記載の獣医師連携システム。
【発明の詳細な説明】
【技術分野】
【０００１】
本発明はインターネット等の通信回線網を利用した動物医療および健康相談の為の獣医師連携システムに関する。
【背景技術】
【０００２】
人間を対象とした医療においては、インターネット上に医療情報の提供や医療従事者を紹介したホームページがあり、遠隔地医療として総合病院および大学病院間にネートワークを構築して医療情報提供を行うような報告も見られる。
【０００３】
一方、動物医療分野においては、個人獣医師が自分の専門領域外の依頼を受けた場合に、オンライン上で会議を開催して、複数の獣医師がその会議に参加して問題を議論するシステムや、個人獣医師等からネットワーク経由で診断を受けるシステム等が開発されている。
【特許文献１】特開２００３−３０１２０号公報
【発明の開示】
【発明が解決しようとする課題】
【０００４】
今日、動物医療の分野においても人間を対象とした医療と同様に、専門分野が細分化されている。しかしながら、動物医療の分野においては、対象となる動物種類および品種が豊富な上に、その症状と疾患名が異なっており、人間を対象とした医療のように一定の症状から疾患名を決定することが困難であるという問題があった。このため利用者が、飼育動物に関する情報を必要とした場合において、動物の症状から適切な専門獣医師を選択することが大変難しく、結局、利用者が飼育動物に関する情報を十分に得ることができない状況であった。
【０００５】
本発明は上記問題点に鑑みてなされたものであり、自動的且つ適切に獣医師を選択できるシステムを提供することを目的としている。
【課題を解決するための手段】
【０００６】
上記課題を解決するための本発明は、以下の技術的手段から構成される。
【０００７】
（１）通信回線網に接続される連携サーバ装置によって、利用者に適した獣医師情報を提供する獣医師連携システムであって、動物カテゴリ及び該動物カテゴリに属する複数の症状が蓄積される動物症状データベース部と、前記動物カテゴリの前記症状毎に、該症状と関係性を有する臓器・部位が蓄積されている症状臓器データベース部と、獣医師毎に、専門とする前記臓器・部位が特定されている専門獣医師データベース部と、該動物症状データベース部に含まれる複数の前記動物カテゴリ及び前記症状を前記利用者に配信して、該利用者に選択を促す症状絞込み部と、利用者によって選択された前記動物カテゴリ及び前記症状に基づいて前記症状臓器データベース部を参照し、前記症状と前記臓器・部位の関連度合いによって臓器・部位の優先順位を決定する臓器絞込み部と、前記臓器絞込み部によって絞り込まれた前記臓器・部位に基づいて前記専門獣医師データベース部を参照し、該臓器・部位を得意分野とする専門獣医師を抽出する獣医師絞込み部と、を備えることを特徴とする獣医師連携システム。
【０００８】
（２）前記動物カテゴリには、動物種類を選択する大カテゴリと、該大カテゴリに属する動物品種を選択する小カテゴリを含むことを特徴とする（１）記載の獣医師連携システム。
【０００９】
（３）前記症状臓器データベース部は、一方の配列が複数の前記症状であって他方の配列が複数の前記臓器・部位となる症状−臓器・部位マトリックスを備えており、前記症状と前記臓器・部位の関係度合いに基づいて、前記症状−臓器・部位マトリックスの対応枠に予めフラグが設定されており、前記利用者が選択した複数の前記症状に基づいてヒットした前記フラグの合計によって、前記臓器・部位の優先順位を設定するようにしたことを特徴とする（１）又は（２）に記載の獣医師連携システム。
【００１０】
（４）前記臓器絞込み部が、優先順位が設定された複数の前記臓器・部位を該優先順位が識別可能な状態で前記利用者に配信して選択を促し、該利用者によって選択された前記臓器・部位に基づいて、前記獣医師絞込み部が前記専門獣医師を抽出するようにしたことを特徴とする（１）、（２）又は（３）に記載の獣医師連携システム。
【００１１】
（５）前記臓器絞込み部が、前記動物カテゴリに属する動物画像、及び該動物画像上に適切配置された前記臓器・部位の選択ボタンを含む臓器・部位選択画面を前記利用者に配信して、該臓器・部位の選択を促すようにしたことを特徴とする（１）乃至（４）のいずれかに記載の獣医師連携システム。
【００１２】
（６）前記臓器・部位選択画面は、前記臓器・部位の選択ボタンの色調の違いによって、前記優先順位を識別可能となっていることを特徴とする（５）に記載の獣医師連携システム。
【００１３】
（７）前記獣医師絞込み部が、抽出された前記専門獣医師に対して問い合せ可能な相談画面を前記利用者に配信するようにし、該相談画面には、利用者が保有する静止画又は動画を添付可能にしたことを特徴とする（１）乃至（６）のいずれかに記載の獣医師連携システム。
【００１４】
（８）前記相談画面が、更に、動物の名称、動物の年齢、動物の性別、相談内容が入力可能な入力欄を備えていることを特徴とする（７）に記載の獣医師連携システム。
【００１５】
（９）前記専門獣医師データベースには、動物種類および品種、専門臓器、専門獣医師名が含まれていることを特徴とする（１）乃至（８）のいずれかに記載の獣医師連携システム。
【発明の効果】
【００１６】
本発明によれば、利用者は、各種動物に対して十分な知識を有しなくとも適した獣医師とコミュニケーションを図ることが可能となる。特に、症状に基づいて最適な獣医師を選択できるので、利用者にとって利便性の高いインターフェースを提供することが可能になる。また、獣医師同士であっても、自分より専門性の高い獣医師から情報を受けることが可能となる。さらに、ネットワークを利用して動物の静止画や動画等を、メールを用いて添付ファイルとして送信することが可能となり、より客観的で精度の高い情報を利用者に提供することが可能となる。
【発明を実施するための最良の形態】
【００１７】
以下図面を参照しながら本発明の実施の最良の形態について詳細に説明する。
【００１８】
図１は本発明の獣医師連携システム１００の概念を示した平面図である。この獣医師連携システム１００は、利用者が用いる利用者ＰＣ１、専門獣医師が用いる獣医師ＰＣ２、および本獣医師連携システム１００の管理者が運営する連携サーバ装置４を備えており、これらは全て通信回線網３を介して接続され、相互にＴＣＰ／ＩＰ通信が可能となっている。なお、通信回線網３は、電話網、移動通信網、ＩＳＤＮ、パケット交換網等の公衆網、およびＬＡＮ、ＷＡＮ、インターネット等のコンピュータネットワーク網を含むものである。
【００１９】
図２には、連携サーバ装置４の内部の装置構成が示されている。この連携サーバ装置４は、制御部４１０、記憶部４２０、表示部４３０、操作部４４０、通信インターフェース４５０を備えており、これらは信号をやり取りするためのバス４６０を介して相互に接続されている。
【００２０】
制御部４１０はＣＰＵであり、プログラムにしたがって各種演算処理等を行う。記憶部４２０は、連携サーバ装置４の基本動作を制御する各種プログラムやパラメータを格納するＲＯＭ、作業領域として一時的にプログラムやデータを記憶するＲＡＭ、データベース等が格納されるディスク式記録媒体等からなる。表示部４３０はディスプレイであり、連携サーバ装置４をメンテナンスする場合等に各種情報を表示する。操作部４４０は、操作キー等からなり、各種命令やデータ、プログラム等を入力する。通信インターフェース４５０は、通信回線網３に接続してコンピュータ間の情報通信を行うためのインターフェースである。
【００２１】
図３には、この連携サーバ装置４の機能構成が示されている。なお、これらの各種機能は、記憶部４２０に記憶された制御プログラムが制御部４１０で適宜実行されて実現されるものである。
【００２２】
この連携サーバ装置４は、ＷＷＷサーバ部５００、動物症状データベース部５１０、症状臓器データベース部５２０、専門獣医師データベース部５３０、症状絞込み部５４０、臓器絞込み部５５０、獣医師絞込み部５６０を備える。ＷＷＷサーバ部５１０は、ＨＴＭＬ形式やＸＭＬ形式の各種画面を、利用者ＰＣ１や獣医師ＰＣ２のＷＷＷブラウザに配信する為の基本機能（例えば、セキュア通信やアクセス制限、アクセスログ回収、データフォルダ管理等）を提供する。動物症状データベース部５１０は、動物カテゴリと、その動物カテゴリに属する複数の症状が蓄積されるようになっている。具体的にはこの動物カテゴリには、馬、牛、犬、猫、豚、鳥、爬（は）虫類、両生類、魚類、野生動物、海洋動物等の動物種類を選択する大カテゴリと、この大カテゴリに含まれる各種動物の複数の品種（例えば大カテゴリが「馬」の場合は、サラブレッド、アラブ、セルフランセ、ポニー、道産子、重種馬、ミニチュアホース等の品種）が登録された小カテゴリを含んでいる。また、この品種毎に、関係の深い症状、例えば発熱、元気低下、食欲不振、疝痛、下痢、便秘、血便、努責、貧血、黄疸、鼻出血、喀血、浮腫、心雑音、発咳、流涎、赤色尿、呼吸速拍、歩様異常、昏睡、削痩、起立不能、腹部膨満、毛色異常、皮膚異常、体表リンパ節の腫大、眼の異常、泌乳量の異常、乳房の異常等が登録されている。
【００２３】
症状臓器データベース部５２０は、動物カテゴリの症状毎に、関係性を有する複数の臓器・部位が蓄積されている。この症状臓器データベース部５２０については後で詳述する。
【００２４】
専門獣医師データベース部５３０は、複数の獣医師が、それぞれ、専門とする臓器・部位や動物カテゴリが特定された状態で蓄積されている。具体的には図４に示されるように、整理番号２６、動物種類２７、品種２８、専門臓器２９、専門獣医師名３０、所属機関３１、役職３２、専門分野３３、Ｅメールアドレス３４が含まれている。
【００２５】
症状絞込み部５４０は、動物症状データベース部５１０に含まれる複数の大小の動物カテゴリや症状を利用者ＰＣ１に配信して、利用者に動物の種類・品種・症状等の選択を促すようにする。また、臓器絞込み部５５０は、利用者によって選択された動物カテゴリ及び症状に基づいて、症状臓器データベース部５２０を参照し、この症状と臓器・部位の関連度合いに基づいて、臓器・部位の優先順位を決定するようになっている。また、獣医師絞込み部５６０は、臓器絞込み部５５０によって絞り込まれた臓器・部位に基づいて、専門獣医師データベース部５３０を参照し、この臓器・部位を得意分野とする専門獣医師を抽出するようになっている。
【００２６】
次に、症状臓器データベース部５２０について詳細に説明する。
【００２７】
図５に示されるように、症状臓器データベース部５２０は、動物カテゴリ毎に、症状−臓器・部位マトリックス（テーブル）５２１を備えている。ここでは、その一例として、大カテゴリ（種類）が「馬」で小カテゴリ（品種）が「サラブレッド」における症状−臓器・部位マトリックス５２１が表示されている。症状−臓器・部位マトリックス５２１における一方の配列には、複数の症状１２が配置されており、他方の配列には、複数の臓器・部位１３が配置されている。例えば、症状１２側に配列には、動物症状データベース部５１０と同様に、発熱、元気低下、食欲不振、疝痛、下痢、便秘、血便、努責、貧血、黄疸、鼻出血、喀血、浮腫、心雑音、発咳、流涎、赤色尿、呼吸速拍、歩様異常、昏睡、削痩、起立不能、腹部膨満、毛色異常、皮膚異常、体表リンパ節の腫大、眼の異常、泌乳量の異常、乳房の異常等が含まれている。また例えば、臓器・部位１３側の配列には、目、鼻、口、喉、頭・頚、肩、肺、背、腰、胃腸、心臓、腎・肝臓、膵臓、腎臓、尾、肛門、子宮・膣、陰茎・睾丸、乳房、前肢、後肢、蹄、飼料、敷料、環境要因等が含まれている。
【００２８】
更に、特定の症状１２の列と特定の臓器・部位１３の行が交差する対応枠（セル）１５には、その特定の症状１２と臓器・部位１３の関係度合いを意味するフラグが予め設定されている。ここではフラグとして、「関係有り（ＯＮ）」の場合はセル１５の背景が灰色となっており、「関係なし（ＯＦＦ）」の場合はセル１５の背景が白になっている。利用者が、症状絞込み部５４０によって特定の症状１２を選択した場合、症状−臓器・部位マトリックス５２１では、その症状１２の列の全セル１５に「１」を自動挿入する。例えばここでは、利用者が、発熱、元気低下、食欲不振、疝痛（せんつう）、便秘という４つの症状１２を選択しているので、その症状１２の列のセル１５の全てに「１」が表示されている。症状１２の配列の最端列には合計点数欄１４が用意されており、フラグがＯＮとなる灰色セル１５内に表示されている数字「１」を、臓器・部位１３毎（即ち行毎）に合計して表示するようにしている。この結果、臓器・部位１３毎の合計ポイントが表示可能となっており、このポイント数によって、検査すべき臓器・部位１３の優先順位が設定されることになる。ここでは、優先順位の高い順に、胃腸が５点、肺が３点、心臓が３点、蹄が２点となっている。
【００２９】
なおここではセル１５の色によってフラグのＯＮ、ＯＦＦの状態を示したが、図６に示されるように、症状１２と臓器・部位１３の関係度合いを、各セル１５の内部にポイント数で表示しておくことも好ましい。このようにすると、症状１２と臓器・部位１３の関連度合いを重み付け（ランク付け）できる。例えばここでは、発熱に対して、胃腸が３点、肺が２点、心臓が１点・・・というように関係の深さに応じてランク付けされている。そして、利用者が、症状１２として発熱と疝痛（せんつう）を選択した場合には、その列（ここでは太枠で表示）に属しているポイントを、行方向に合算して、臓器・部位毎に合計点数を表示する。このような仕組みによって、症状１３と臓器・部位１３との関係を、優先順位をつけて自動的に出力可能な状態にする。
【００３０】
次に、この獣医師連携システム１００の動作例について、利用者ＰＣ１等に表示される画面等を紹介しながら説明する。
【００３１】
先ず、症状絞込み部５４０が、動物症状データベース部５１０を参照して必要なデータを抽出し、図７に示されるように、利用者ＰＣ１に対して動物種類及び品種選択画面６００を配信する。この動物種類及び品種選択画面６００には、動物種類９と品種１０が含まれており、馬、牛、犬、猫、豚、鳥等の動物種類９の一つを選択すると、自動的に動物症状データベース部５１０を参照して、その動物種類９に属する品種１０が表示されるようになっている。この画面６００によって、利用者が動物品種１０まで絞り込んで送信ボタンを押すと、症状絞込み部５４０がその品種１０に基づいて動物症状データベース部５１０を参照し、図８に示されるような症状選択画面６１０を利用者ＰＣ１に対して配信する。この症状選択画面６１０は、利用者によって選択された動物種類９と品種１０に関連する特定の症状名が症状ボタン１１として表示されるようになっている。症状には発熱、元気低下、食欲不振、疝痛・・・等様々である。利用者は、この画面６１０を介して複数の症状を選択することができるようになっている。
【００３２】
利用者が複数の症状を選択して連携サーバ装置４に送信すると、臓器絞込み部５５０が実行され、症状臓器データベース５２０を参照して臓器・部位の優先順位を決定する。この決定方法は既に図５、図６で説明したので省略する。優先順位が決定した後、臓器絞込み部５５０は、図９に示されるような臓器・部位選択画面６２０を利用者ＰＣ１に対して配信する。この臓器・部位選択画面６２０には、動物種類及び品種選択画面６００によって選択された動物種類９ならびに品種１０を示す動物画像１７（ここではサラブレッドの画像）が含められており、この動物画像１７上には、その画像に適した位置関係で、臓器・部位を選択する選択ボタン１６が表示されている。この臓器・部位の選択ボタン１６は、優先順位に従って色調が異なるようになっている。具体的には、合計点数が１から３までの臓器・部位に対しては網掛けボタン１６Ａとして表示され、数値が４以上のものは灰色ボタン１６Ｂとして表示され、それ以外の場合は白色ボタン１６Ｃとして表示される。これにより、利用者が臓器もしくは部位を選ぶ場合に、灰色ボタン１６Ｂ、網掛けボタン１６Ａ、通常ボタン１６Ｃの順に選択できるようにしてある。従って、利用者の選択の自由度を高めながらも、ボタンの色調によって、サーバ装置４側から臓器・部位の提案を行うことで、知識を十分に持ち合わせていない利用者が容易に臓器・部位を選択できるようにしている。なお、臓器・部位の選択ボタン１６には、目、鼻、口、喉、頭・頚、肩、肺、背、腰、胃腸、心臓、腎・肝臓、膵臓、腎臓、尾、肛門、子宮・膣、陰茎・睾丸、乳房、前肢、後肢、蹄、飼料、敷料、環境要因等の情報を含むようにすることが好ましい。
【００３３】
この臓器・部位選択画面６２０において特定の臓器・部位の選択ボタンを押すと、獣医師絞込み部５６０が実行され、専門獣医師データベース部５３０を参照して、この臓器・部位、品種等を得意とする専門獣医師を抽出し、図１０に示されるような専門獣医師選択画面６３０を利用者ＰＣ１に配信する。この専門獣医師選択画面６３０には、専門獣医師名２０、所属機関２１、役職２２、専門動物２３、専門分野２４が表示されており、利用者によって選択された臓器・部位を得意とする複数の専門獣医師がリストアップされる。利用者は、この専門獣医師選択画面６３０に表示された複数の専門獣医師から、相談したい専門獣医師を選択することが可能となっている。
【００３４】
この専門獣医師選択画面６３０において獣医師を選択して、「入力画面へ」ボタン２５をクリックすると、獣医師絞込み部５６０は更に図１１に示されるような相談画面６４０を利用者ＰＣ１に配信する。この相談画面６４０には、利用者側の情報として、氏名３５、郵便番号３６、住所３７、電話番号３８、Ｅメールアドレス３９、職業４０、動物名前４２、相談内容４５等の入力欄が表示される。更にこの相談画面６４０には、利用者が動物種類及び品種選択画面６００で選択した動物種類９および品種１０が、動物種類・品種４１として自動的に表示されるようにしてある。
【００３５】
更に相談画面６４０では、動物の性別４３が選択可能であり、利用者が飼育している動物を撮影した静止画、動画、録音した音声等の関連データを添付ファイル４６として添付可能としてある。利用者が相談画面６４０に全ての情報に入力後、「送信」ボタン４７をクリックすることにより、連携サーバ装置４を介して獣医師ＰＣ２にこれらの情報が電子メールによって直接送信されるようになっている。
【００３６】
専門獣医師は、利用者ＰＣ１から送信されてきた各種情報を獣医師ＰＣ２によって受信して画面で確認する。この情報には利用者のＥメールアドレスが含まれているので、専門獣医師は、相談内容に対する回答を、電子メールによって通信回線網３を介して利用者ＰＣ１へ直接提供することが可能となる。
【００３７】
以上、本実施形態に係る獣医師連携システム１００によれば、動物医療および健康相談に関する情報を得たい利用者が、動物の実際の症状に基づいて、最適な専門獣医師に関する情報を入手することができる。更に、その専門獣医師に対して直接相談することにより、専門獣医師からの回答を直接得ることができる。特に、臓器・部位や動物種類・品種によって細分化されている獣医師特有の事情に鑑みて、症状−臓器・部位マトリックスによって臓器・部位の優先順位を設定し、利用者を自動的に最適な専門獣医師に導くようにしていることから、あたかも、症状に対して専門獣医師が直接的に選択されたような感覚を得ることができ、利用者には大変利便性の高いものとなる。
【００３８】
なお、本実施形態では、利用者が、動物の飼育者である場合を主に想定したが、本発明はそれに限定されず、獣医師が利用することも可能である。特に専門分野が細分化されている特性から、自らの得意分野以外の相談があった場合に、他の獣医師に相談したい場合が多い。従って、本獣医師連携システム１００を用いれば、専門外の動物や臓器であっても、その症状から相談に適した獣医師を選択できることになる。
【００３９】
また本実施形態では、サーバ装置が１台である場合を模式的に示したが、本発明はそれに限定されるものではない。複数台のサーバ装置を用いることも可能である。またネットワーク環境が発展してきた昨今は、データベースやＣＰＵなど、機能毎に通信回線を介して分散配置することも可能であり、本発明を実現する為の設備構成は、その環境に応じて適宜選択されるものである。
【産業上の利用可能性】
【００４０】
利用者は、症状から最適な専門獣医師を容易に選択することが可能になる。
【図面の簡単な説明】
【００４１】
【図１】本実施形態に係る連携システムの概念を示したネットワーク構成図である。
【図２】同連携システムの連携サーバ装置の内部構成を示すブロック図である。
【図３】同連携サーバ装置の機能構成を示すブロック図である。
【図４】専門獣医師データベース部のデータ配列を示す配列図である。
【図５】症状臓器データベース部のデータ配列を示す配列図である。
【図６】症状臓器データベース部の他のデータ配列を示す配列図である。
【図７】動物種類及び品種選択画面を示す図である。
【図８】症状選択画面を示す図である。
【図９】臓器・部位選択画面を示す図である。
【図１０】専門獣医師選択画面を示す図である。
【図１１】相談画面を示す図である。
【符号の説明】
【００４２】
１  利用者ＰＣ
２  専門獣医師ＰＣ
３  通信回線網
４  連携サーバ装置
９  動物種類
１０  品種
１１  症状ボタン
１２  症状
１３  臓器・部位
１４  合計
１５  セル
１６Ａ、１６Ｂ、１６Ｃ  臓器・部位ボタン
１７  動物画像
２０  専門獣医師名
２１  所属機関
２２  役職
２３  専門動物
２４  専門分野
２５  「入力画面へ」ボタン
２６  整理番号
２７  動物種類
２８  品種
２９  専門臓器
３０  専門獣医師
３１  所属機関
３２  役職
３３  専門分野
３４  Ｅメールアドレス
３５  氏名
３６  郵便番号
３７  住所
３８  電話番号
３９  Ｅメールアドレス
４０  職業
４１  動物種類・品種
４２  動物名前
４３  性別選択ボタン
４４  年齢
４５  相談内容
４６  添付ファイル
４７  送信ボタン
１００  獣医師連携システム
５００  ＷＷＷサーバ部
５１０  動物症状データベース部
５２０  症状臓器データベース部
５３０  専門獣医師データベース部
５４０  症状絞込み部
５５０  臓器絞込み部
５６０  獣医師絞込み部
６００  動物種類及び品種選択画面
６１０  症状選択画面
６２０  臓器・部位選択画面
６３０  専門獣医師選択画面
６４０  相談画面
【図１】
2006215967.tif 000003
【図２】
2006215967.tif 000004
【図３】
2006215967.tif 000005
【図４】
2006215967.tif 000006
【図５】
2006215967.tif 000007
【図６】
2006215967.tif 000008
【図７】
2006215967.tif 000009
【図８】
2006215967.tif 000010
【図９】
2006215967.tif 000011
【図１０】
2006215967.tif 000012
【図１１】
2006215967.tif 000013